(57)【特許請求の範囲】
【請求項１】
ズボン形状に形どって形成され、腰部相当部、脚部および脚部裾相当部を設けてズボンを被着させる通気性を有する袋と、前記袋の内側に送風する送風手段と、前記腰部相当部が上方に、前記脚部裾相当部が下方になるように前記袋を支える支持部と、被着ズボンの腰部を前記袋の腰部相当部に固定する複数個の留め具と、被着ズボンの裾に固定する複数個の留め具を有し前記袋の脚部裾相当部と股部間を摺動自在に設けた摺動部材とを備え、前記摺動部材は、略中央部に前記袋の脚部を通す貫通穴を有し、前記送風手段により前記袋内へ送風し前記貫通穴を通した前記袋の脚部が膨らむことによって前記脚部裾相当部側へ押し下げられ、前記摺動部材に設けた前記留め具を介して被着ズボンの裾を前記脚部裾相当部側へ引っ張るようにした衣類仕上げ装置。
【請求項２】
袋は、左右２分割に形どった通気性を有する２本の袋で構成した請求項１記載の衣類仕上げ装置。
【請求項３】
袋は、被着ズボンの腰部左右の縫い目の延長線上の腰部に相当する位置に被着ズボンを略固定する２個の留め具を設けた請求項１記載の衣類仕上げ装置。
【請求項４】
袋は、被着ズボン中央の前後の縫い目の延長線上の腰部に相当する位置に被着ズボンを略固定する２個の留め具を設けた請求項１記載の衣類仕上げ装置。
【請求項５】
袋は、ズボン状の左右脚部の裾部に錘を設けた請求項１記載の衣類仕上げ装置。
【請求項６】
袋は、送風手段および支持部に着脱自在に取り付ける接続部を設けた請求項１記載の衣類仕上げ装置。
【発明の詳細な説明】
【０００１】
【発明の属する技術分野】
本発明は、ズボンのような衣類のシワをとる衣類仕上げ装置に関するものである。
【０００２】
【従来の技術】
衣類仕上げ装置として従来はアイロンが使用されている。綿などの乾いた衣類の繊維は分子レベルでは水素結合によって固定されており、繊維同士が自由に動かず、従ってシワも取れにくいものである。しかし衣類に水分を供給することによって、衣類は吸湿し、この水素結合が解けて繊維同士の移動が自由となる。アイロン掛けでは、ミストやスチームで衣類の繊維に湿気を供給してシワが取れやすい状態をつくり、この状態で衣類を引っ張りながら押さえつけて、衣類のシワをとっている。このとき、同時に衣類の形を整え、この整形された状態を保つために、高温で湿気をとばして乾燥させる作業を行っている。
【０００３】
アイロン掛けによる衣類の仕上げは優れているものの、反面、時間がかかる、あるいはズボンのように特に腰回りの立体的な面の仕上げが難しいという欠点を有しているものである。この欠点は、一般使用者がアイロン掛け作業を敬遠する要因となっている。また、アイロン掛け作業に代わって、手軽に衣類のシワを伸ばす等の衣類仕上げができる装置の出現が望まれている。
【０００４】
乾燥を目的としたものとして、実開平２−２５９９０公報および実開平６−７２５９５公報に記載されている装置がある。図２０は実開平２−２５９９０公報の構成を説明する説明図である。すなわち、全体に無数の網目状の穴１を設けた下半身形状の乾燥袋２を、熱風発生機３の上部に逆さに取り付け、熱風吹きだし口４から乾燥袋２に吹き込むように構成したものである。図２１は、ズボンを乾燥袋２に被着した使用中の斜視図である。無数の網目状の穴１から熱風を送風することによってズボンを効果的に乾燥させることができる。
【０００５】
図２２は、実開平６−７２５９５公報の構成を説明する図である。すなわち、耐水、耐熱、柔軟性を有する布状の無数の小孔６を有する適宜形状の型袋７を図示していないモータ直結のヒータ付きファンを内蔵したケース８の開口部に取り付け、熱風をはらんで隆起した型袋７にズボン５を被着させて、型袋７の加熱と小孔６からの熱風で被着したズボン５をシワになりにくい状態で乾燥させる。
【０００６】
【発明が解決しようとする課題】
上記従来の衣類乾燥機において、実開平２−２５９９０公報の乾燥機は、乾燥袋２の形状が下半身を逆にした形状のため、ズボン５を被着させる時に濡れたズボン５の腰部および２本の脚部の裾を高い位置まで持ち上げ、脚部が折れ曲がらないように伸ばしながら乾燥袋に挿入しなければならず、被着がしにくい。また、図のように使用中でも乾燥袋２が膨張しないため、被着したズボンのシワを強制的に伸ばすことはできない。また、被着したズボン５の裾を乾燥袋２の上部に引っかけることによって、上下方向にはズボン５の自重がテンションとして加わるが、乾燥袋２の形状が一定のため、脚部やウエストのサイズの細いズボンを被着した場合には、細い部分でズボンが止まり、自重によるテンションもかからない。従って、上下方向のテンションによるシワ伸ばし効果も期待できない。
【０００７】
実開平６−７２５９５公報は、乾燥袋７の形状が下半身を逆にした形状のため、ズボン５を被着させる時に濡れたズボン５の腰部および２本の脚部の裾を高い位置まで持ち上げ、脚部が折れ曲がらないように伸ばしながら乾燥袋に挿入しなければならず、被着がしにくい。また、型袋７は柔軟性を有し、ズボン５の形状に合わせて適宜形状の異なる型袋を使用するため、シワを伸ばす効果があるが、ズボン５を上下方向に積極的に引っ張る物がないため、ズボン５の特に脚部の上下方向のシワを伸ばす効果が少なく、また、ズボン５の脚部を支えるものが、柔軟性のある型袋７だけであるため、熱風のはらみ具合によって、脚部の途中で、例えば股の部分でわずかに曲がるおそれがあり、この部分が乾燥後にシワとなって残る。
【０００８】
以上のように、従来の乾燥機では、ズボン状の衣類のシワ伸ばし効果と、ズボン状衣類の被着、つまり、セッティングのしやすさに課題があった。
【０００９】
【課題を解決するための手段】
本発明の衣類仕上げ装置は、ズボン形状に形どって形成され、腰部相当部、脚部および脚部裾相当部を設けてズボンを被着させる通気性を有する袋と、前記袋の内側に送風する送風手段と、前記腰部相当部が上方に、前記脚部裾相当部が下方になるように前記袋を支える支持部と、被着ズボンの腰部を前記袋の腰部相当部に固定する複数個の留め具と、被着ズボンの裾に固定する複数個の留め具を有し前記袋の脚部裾相当部と股部間を摺動自在に設けた摺動部材とを備え、前記摺動部材は、略中央部に前記袋の脚部を通す貫通穴を有し、前記送風手段により前記袋内へ送風し前記貫通穴を通した前記袋の脚部が膨らむことによって前記脚部裾相当部側へ押し下げられ、前記摺動部材に設けた前記留め具を介して被着ズボンの裾を前記脚部裾相当部側へ引っ張るようにしたものである。
【００１０】
袋を腰部相当部が上方に、脚部裾相当部が下方になるように支えており、通常の人にズボンをはかせるように被着させるのでセッティングが容易であり、被着ズボンを上方の腰部相当部で略固定して、衣類よりも大きく膨張しようとする袋によって、ズボンの自重と袋の膨らみによる下方へ伸びる力と周囲に向かって広がる力によって、ズボンをシワなく引っ張ることができ、送風手段による風でズボンはシワなく形が整えられた状態で乾燥される。
【００１１】
従って本発明は、セッティングがしやすくシワの伸び方も良好な状態で衣類を仕上げることができるものである。
【００１２】
【発明の実施の形態】
請求項１に記載した発明は、ズボン形状に形どって形成され、腰部相当部、脚部および脚部裾相当部を設けてズボンを被着させる通気性を有する袋と、前記袋の内側に送風する送風手段と、前記腰部相当部が上方に、前記脚部裾相当部が下方になるように前記袋を支える支持部と、被着ズボンの腰部を前記袋の腰部相当部に固定する複数個の留め具と、被着ズボンの裾に固定する複数個の留め具を有し前記袋の脚部裾相当部と股部間を摺動自在に設けた摺動部材とを備え、前記摺動部材は、略中央部に前記袋の脚部を通す貫通穴を有し、前記送風手段により前記袋内へ送風し前記貫通穴を通した前記袋の脚部が膨らむことによって前記脚部裾相当部側へ押し下げられ、前記摺動部材に設けた前記留め具を介して被着ズボンの裾を前記脚部裾相当部側へ引っ張るようにしたものであり、通常の人にズボンをはかせるように被着させるのでセッティングか容易であり、被着ズボンを上方の腰部相当部で略固定して、衣類よりも大きく膨張しようとする袋によって、ズボンの自重と袋の膨らみによる下方へ伸びる力と周囲に向かって広がる力によって、ズボンをシワなく引っ張ることができ、送風手段による風でズボンはシワなく形が整えられた状態で乾燥される。また、脚部の長さの異なるズボンに対応した位置でズボンの裾を袋に略固定でき、最適な位置で、上下方向にズボンを引っ張って良好に仕上げることができる。
【００１３】
請求項２に記載した発明は、袋は、左右２分割に形どった通気性を有する２本の袋で構成したものであり、袋の膨張による圧力が加わって被着ズボンの股の分かれ目が突っ張ることはないので、シワの伸び方も良好な状態でズボンなどの衣類を仕上げることができるものである。
【００１４】
請求項３に記載した発明は、袋は、被着ズボンの腰部左右の縫い目の延長線上の腰部に相当する位置に被着ズボンを略固定する２個の留め具を設けたものであり、濡れると発生しやすい糸の縫い目部での縫いつれや縫いじわ（シームパッカリング）に対して、留め具で腰部を略固定することによって、ズボンの自重と袋の膨らみによる下方へ伸びる力によって縫い目に沿った方向に引張力をかけることができ、シワの伸び方も良好な状態でズボンなどの衣類を仕上げることができるものである。
【００１５】
請求項４に記載した発明は、袋は、被着ズボン中央の前後の縫い目の延長線上の腰部に相当する位置に被着ズボンを略固定する２個の留め具を設けたものであり、濡れると発生しやすいシームパッカリングに対して、留め具で腰部を略固定することによって、ズボンの自重と袋の膨らみによる下方へ伸びる力によって、縫い目に沿った方向に引張力をかけることができ、シワの伸び方も良好な状態でズボンなどの衣類を仕上げることができるものである。
【００１６】
請求項５に記載した発明は、袋は、ズボン状の左右脚部の裾部に錘を設けたものであり、ズボンを袋に被着する時に、袋の脚部をズボンの脚部に誘導するだけで、錘の効果で袋の脚部が下方に降りるので、袋の脚部が通しやすく、セッティングしやすくする効果がある。
【００１７】
請求項６に記載した発明は、袋は、送風手段および支持部に着脱自在に取り付ける接続部を設けたことにより、袋を支持部に吊した状態ではなく、取り外して、自由な位置でズボンを被着させることができ、よりセッティングが容易になる。
【００１８】
【実施例】
（実施例１）
以下、本発明の第１の実施例について説明する。図１は実施例１の外部構成を示す外観斜視図、図２は実施例１の本体の内部構成を示す断面図である。図３は洗濯・脱水後の濡れたズボンまたはミストやスチームで吸湿したズボンを袋に被着した使用状態を示す側面図である。
【００１９】
本実施例の衣類仕上げ装置は、本体９と、ズボン５のような衣類を被着させるズボン形状を形どった通気性を有する袋１０と、前記袋１０の内側に送風する送風手段１１と、前記袋１０を腰部相当部１０ａが上方に、脚部裾相当部１０ｂが下方になるように支える支持部１２と、腰部相当部１０ａに、被着ズボン５を袋１０に略固定する複数個の留め具１３を備え、前記袋が膨張すると、その外容積が被着ズボン５の内容積よりも大きくなる構成である。図２のように送風手段１１はモータとシロッコファンからなっており、外部から吸気した空気を風路を兼ねている支持部１２を通して袋１０に送風する。袋１０を膨らませるとともに空気を袋１０の内部から外部に向けて送風して被着したズボン５を乾燥させる。１４は加熱手段で、送風手段１１から送られる空気を加熱するので、より乾燥が促進される。１５は各手段をコントロールする制御手段である。袋１０は通気性を有しているポリエステル繊維によって構成している。
【００２０】
以下、本実施例の動作について説明する。図３のように、ズボン５を上方の腰部相当部１０ａの留め具１３で略固定して、送風手段１１を動作させる。空気が加熱手段９で温風となり、袋１０を膨らませ、さらに、袋１０の内側から外側に抜けてズボン５に当たる。袋１０とともに膨れたズボン５はその引張力でしわが伸ばされる。その後は、ズボン５が乾燥すれば、しわが伸びた状態で仕上がる。
【００２１】
以上のように本発明の本実施例では、袋１０の腰部相当部１０ａが上方に、脚部裾相当部１０ｂが下方になるように支えられており、人にズボン５をはかせるように被着させることができるのでセッティングが容易である。
【００２２】
また、ズボン５を上方の腰部相当部１０ａで略固定して、衣類よりも大きく膨張しようとする袋１０によって、ズボン５の自重と袋の膨らみによる下方へ伸びる力と周囲に向かって広がる力によって、ズボン５をシワなく引っ張ることができ、送風手段１１による風でズボン５はシワなく形が整えられた状態で乾燥される。
【００２３】
従って本発明は、セッティングがしやすくシワの伸び方も良好な状態で衣類を仕上げることができるものである。
【００２４】
なお、本実施例では送風手段１１はシロッコファンだけでなく、エンジンとターボファン、軸流ファン、クロスフローファンなど原動機やファンの種類を限定するものではない。袋はポリエステル繊維以外の通気性を有する繊維や伸縮性のゴムなどの樹脂に小孔を開ける加工を施したものなどその材質を限定するものではない。支持部１２は風路を兼ねているが、別途ダクトを設けて風路とすることもできる。加熱手段９は空気を加熱するニクロムヒータやセラミックヒータなどの電気ヒータや、ガスや石油の燃焼を利用したものや、ヒートポンプ方式の加熱手段でもよい。
【００２５】
（実施例２）
次に本発明の第２の実施例について説明する。図４は実施例２の外観斜視図である。実施例１と共通の部分は同一の番号を付して詳しい説明は省略する。
【００２６】
本実施例では、被着させるズボン５の形状を左右２分割に形どった通気性を有する２本の袋１６と、前記２本の袋１６の内側に送風する送風手段１１と、前記２本の袋１６を腰部相当部１６ａが上方に、脚部裾相当部１６ｂが下方になるように支える支持部１２と、腰部相当部１６ａに、被着ズボン５を略固定する複数個の留め具１３を備え、前記２本の袋１６が膨張すると、その２つを合わせた外容積が被着ズボン５の内容積よりも大きくなる構成である。
【００２７】
以下、本実施例の動作について説明する。ズボン５を上方の腰部相当部１６ａの留め具１３で略固定して、送風手段１１を動作させる。空気が加熱手段９で温風となり、袋１６を膨らませ、さらに、袋１６の内側から外側に抜けてズボン５に当たる。袋１６とともに膨れたズボン５はその引張力でしわが伸ばされる。その後は、ズボン５が乾燥すれば、しわが伸びた状態で仕上がる。
【００２８】
以上のように本発明の本実施例では、袋１６の腰部相当部１６ａが上方に、脚部裾相当部１６ｂが下方になるように支えられており、人にズボン５をはかせるように被着させることができるのでセッティングが容易である。
【００２９】
また、ズボン５を上方の腰部相当部１６ａで略固定して、衣類よりも大きく膨張しようとする袋１６によって、ズボン５の自重と袋の膨らみによる下方へ伸びる力と周囲に向かって広がる力によって、ズボン５をシワなく引っ張ることができ、送風手段１１による風でズボン５はシワなく形が整えられた状態で乾燥される。さらに、袋１６が２本に分かれているため、袋１６の膨張による圧力が加わって被着ズボン５の股の分かれ目が突っ張ることはないので、ズボン５の股にシワができにくく、シワの伸び方も良好な状態でズボン５などの衣類を仕上げることができるものである。
【００３０】
従って本発明は、セッティングがしやすくシワの伸び方も良好な状態で衣類を仕上げることができるものである。
【００３１】
なお、本実施例では送風手段１１はシロッコファンだけでなく、エンジンとターボファン、軸流ファン、クロスフローファンなど原動機やファンの種類を限定するものではない。袋はポリエステル繊維以外の通気性を有する繊維や伸縮性のゴムなどの樹脂に小孔を開ける加工を施したものなどその材質を限定するものではない。加熱手段９は空気を加熱するニクロムヒータやセラミックヒータなどの電気ヒータや、ガスや石油の燃焼を利用したものや、ヒートポンプ方式の加熱手段でもよい。
【００３２】
（実施例３）
次に本発明の第３の実施例について図５を用いて説明する。図５はズボンを袋に被着した使用状態を示す側面図である。実施例１および２と共通の部分は同一の番号を付して詳しい説明は省略する。
【００３３】
本実施例では、袋１０が、ズボン５の腰部左右の縫い目１７の延長線上の腰部に相当する位置に２個の留め具１８を備えている。
【００３４】
以下、本実施例の動作について説明する。図５のように、洗濯・脱水後の濡れたズボンまたはミストやスチームで吸湿したズボン５を袋１０に被着する時に、左右２個の留め具１８を使用して、ズボン５の腰部左右の縫い目１７の延長線上の腰部に相当する位置で、ズボン５を略固定して、送風手段１１を動作させる。袋１０が膨らみ、袋１０とともに膨れたズボン５はその引張力でしわが伸ばされる。その後は、ズボン５が乾燥すれば、しわが伸びた状態で仕上がる。
【００３５】
以上のように本発明の本実施例では、留め具１８を使用して、ズボン５の腰部左右の縫い目１７の延長線上の腰部に相当する位置で、ズボン５を略固定することによって、濡れると発生しやすい糸の縫い目部での縫いつれや縫いじわ（シームパッカリング）に対して、ズボン５の自重と袋の膨らみによる下方へ伸びる力によって縫い目に沿った方向に引張力をかけることができ、シワの伸び方も良好な状態でズボン５を仕上げることができるものである。
【００３６】
なお、本実施例の袋１０は、図４の袋１６のように２分割された袋の場合でも同様であり、特に限定するものではない。
【００３７】
（実施例４）
次に本発明の第４の実施例について図６を用いて説明する。図６はズボンを袋に被着した使用状態を示す正面図である。実施例１、２および３と共通の部分は同一の番号を付して詳しい説明は省略する。
【００３８】
本実施例では、ズボン５中央の前後の縫い目１９の延長線上の腰部に相当する位置に２個の留め具２０を備えている。
【００３９】
以下、本実施例の動作について説明する。図６のように、濡れたズボン５を袋１０に被着する時に、２個の留め具２０を使用して、ズボン５の腰部位置で、ズボン５を略固定して、送風手段１１を動作させる。袋１０が膨らみ、袋１０とともに膨れたズボン５はその引張力でしわが伸ばされる。その後は、ズボン５が乾燥すれば、しわが伸びた状態で仕上がる。
【００４０】
以上のように本発明の本実施例では、２個の留め具２０を使用して、ズボン５の中央の前後の縫い目１９の延長線上の腰部に相当する位置で、ズボン５を略固定することによって、濡れると発生しやすいシームパッカリングに対して、ズボン５の自重と袋１０の膨らみによる下方へ伸びる力によって縫い目に沿った方向に引張力をかけることができ、シワの伸び方も良好な状態でズボン５を仕上げることができるものである。
【００４１】
なお、本実施例の袋１０は、図４の袋１６のように２分割された袋の場合でも同様であり、特に限定するものではない。
【００４２】
（実施例５）
次に本発明の第５の実施例について説明する。図７は本実施例の構成を示す外観斜視図である。図８はズボン５を袋１０に被着した使用状態を示す側面図である。実施例１、２、３、４と共通の部分は同一の番号を付して詳しい説明は省略する。
【００４３】
図において、袋１０が、ズボン状の左右の脚部裾相当部１０ｂ先端に位置し、被着ズボン５の裾を袋１０に略固定する脚部左右それぞれ複数の留め具２１を具備している。
【００４４】
以下、本実施例の動作について説明する。図８のように、濡れたズボン５を袋１０に被着する時に、複数個の留め具２１を使用して、ズボン５の裾部位置で、ズボン５を略固定して、送風手段１１を動作させる。袋１０が膨らみ、袋１０とともに膨れたズボン５はその引張力でしわが伸ばされる。その後は、ズボン５が乾燥すれば、しわが伸びた状態で仕上がる。
【００４５】
以上のように本発明の本実施例では、袋１０に略固定したズボン５を、請求項１から４に記載の留め具による腰部相当部１０ａと本請求項記載の留め具２１による脚部裾相当部１０ｂとの上下方向でズボン５を引っ張ることができ、シワの伸び方も良好な状態でズボンなどの衣類を仕上げることができるものである。
【００４６】
なお、本実施例の袋１０は、図４の袋１６のように２分割された袋の場合でも同様であり、特に限定するものではない。
【００４７】
（実施例６）
次に本発明の第６の実施例について図９を用いて説明する。図９はズボン５を袋１０に被着した使用状態を示す側面図である。実施例１、２、３、４、５と共通の部分は同一の番号を付して詳しい説明は省略する。
【００４８】
図において、袋１０が、ズボン状の左右の脚部裾相当部１０ｂで、外側と内側の縫い目２３に相当する位置に１個づつ、脚部左右で合計４個の留め具２２を具備している。
【００４９】
以下、本実施例の動作について説明する。図９のように、濡れたズボン５を袋１０に被着する時に、裾部１０ｂで、外側と内側の縫い目２３に相当する位置に左右合計４個の留め具２２を使用して、ズボン５を略固定して、送風手段１１を動作させる。袋１０が膨らみ、袋１０とともに膨れたズボン５はその引張力でしわが伸ばされる。その後は、ズボン５が乾燥すれば、しわが伸びた状態で仕上がる。
【００５０】
以上のように本発明の本実施例では、ズボン５の外側と内側の縫い目２３に相当する位置に左右合計４個の留め具２２を使用してズボン５の裾を略固定することによって、濡れると発生しやすいシームパッカリングに対して、脚部の外側と内側の縫い目に沿った方向に引張力をかけることができ、シワの伸び方も良好な状態でズボンなどの衣類を仕上げることができるものである。
【００５１】
なお、本実施例の袋１０は、図４の袋１６のように２分割された袋の場合でも同様であり、特に限定するものではない。
【００５２】
（実施例７）
次に本発明の第７の実施例について説明する。図１０は本実施例の構成を示す外観斜視図である。図１１は摺動部材の平面図である。実施例１、２、３、４、５、６と共通の部分は同一の番号を付して詳しい説明は省略する。
【００５３】
図１０において、袋１０の脚部の留め具２４が、脚部裾相当部１０ｂから股部１０ｃまで自在に動く摺動部材２５に取り付けられている。図１１に示すように、留め具２４は取り付け部材２６によって摺動部材２５に取り付けられている。摺動部材２５は略中央に貫通穴が開いており、これに袋１０の裾部が通される。摺動部材２５の貫通穴の開口面積は、袋１０の裾部を絞り込むような大きさになっている。
【００５４】
以下、本実施例の動作について説明する。図１０に示すように、男性用や女性用あるいは半ズボンといったように、脚部の長さの異なるズボン５に対応した位置に、摺動部材２５を移動させ、ズボン５の裾を留め具２４によって略固定する。送風手段１１を動作させると袋１０が膨らむが、脚部は摺動部材２５で絞り込まれているため、袋１０の膨れようとする力は、図１０の裾部の矢印のように、この摺動部材２５を押し下げる方向に働く。袋１０とともに膨れたズボン５は袋１０の引張力でしわが伸ばされる。その後は、ズボン５が乾燥すれば、しわが伸びた状態で仕上がる。
【００５５】
以上のように本発明の本実施例では、摺動部材２５によって留め具２４が色々なサイズのズボンに対して、最適な位置に移動してズボンの裾を下方に引っ張ることができ、シワの伸び方も良好な状態で仕上げることができるものである。
【００５６】
なお、摺動部材２５は、実施例では円形のドーナッツ状であるが、四角形でも同様であり、形状を限定するものではない。また、取り付け部材２６は非弾性の紐であるが、ゴムやバネ材などの弾性体にすると、より柔軟でかつ引張力をもってズボン５の裾を引っ張ることができる。さらに、図１２に示すように、留め具２４を摺動部材２５に２部だけでなく３個以上取り付けてもよい。
【００５７】
本実施例の袋１０は、図４の袋１６のように２分割された袋の場合でも同様であり、特に限定するものではない。
【００５８】
（実施例８）
次に本発明の第８の実施例について説明する。図１３は本実施例の袋を示す外観図である。実施例１、２、３、４、５、６、７と共通の部分は同一の番号を付して詳しい説明は省略する。
【００５９】
図１３において、袋１０の、ズボン状の左右の脚部裾相当部１０ｂに錘２７を備えたものである。
【００６０】
以下、本実施例の動作について説明する。ズボン５を袋１０に被着する時に、袋１０の脚部１０ｂをズボン５の脚部に誘導するだけで、錘２７の効果で袋１０の脚部裾相当部１０ｂが下方に降りる。
【００６１】
以上のように本発明の本実施例では、ズボン状の左右脚部の脚部裾相当部１０ｂに錘２７を備えることによって、袋１０の脚部をズボンの脚部に通しやすなり、セッティングが楽になる効果がある。
【００６２】
（実施例９）
次に本発明の第９の実施例について説明する。図１４は本実施例の袋を示す外観図である。実施例１、２、３、４、５、６、７、８と共通の部分は同一の番号を付して詳しい説明は省略する。
【００６３】
本実施例では、袋１０が、送風手段１１および支持部１２からの着脱自在に取り付ける接続部２８を具備したものである。接続部２８は、送風手段１１からの空気を導くダクト２９ａと２９ｂ、袋１０を吊すフック３０ａと３０ｂを備えている。ダクト２９ａと２９ｂは異径の筒で、嵌合接続するものである。フック３０ａは支持部１２側、フック３０ｂは袋１０側に取り付けられている。
【００６４】
以下、本実施例の動作について説明する。袋１０をフック３０ａと３０ｂを用いて支持部１２に吊し、筒状のダクト２９ａと２９ｂを接続することによって袋１０のセッティングができる。外す場合は、上記の逆の手順でできる。
【００６５】
以上のように本発明の本実施例では、袋１０を支持部に吊した状態ではなく、取り外して、自由な位置でズボンを被着させることができ、よりセッティングが容易になる。また、使用しない時は、袋を収納しておくこともできて、装置がスッキリとする。
【００６６】
（実施例１０）
次に本発明の第１０の実施例について説明する。図１５は本実施例の袋を示す外観図である。実施例１、２、３、４、５、６、７、８、９と共通の部分は同一の番号を付して詳しい説明は省略する。
【００６７】
図１５において、袋１０には、前後左右の向きが分かるように印３１を設けたものである。印３１は、袋１０の前面に文字で前と書いたものである。
【００６８】
以上のように本発明の本実施例では、印３１があるため、ズボン５を袋１０に被着する時や取り外した袋１０を支持部１２に取り付ける時などに、袋１０の前後を間違わないようにして、セッティングの間違いを少なくし、セッティングを容易なものにすることができる。
【００６９】
なお、印３１は、文字ではなく、記号や色分けでもよく、また、別部材を貼り付けたり、縫いつけたりしても同様であり、印の形態を限定するものではない。
【００７０】
（実施例１１）
次に本発明の第１１の実施例について説明する。図１６は本実施例の袋を示す外観図である。実施例１、２、３、４、５、６、７、８、９、１０と共通の部分は同一の番号を付して詳しい説明は省略する。
【００７１】
図１６において、袋１０の脚部裾相当部１０ｂには、前後の区別が分かるように印３２を設けた構成としている。印３１は、袋１０の脚部裾相当部１０ｂの前面に文字で前と書いたものである。
【００７２】
以上のように本発明の本実施例では、印３２があるため、特に袋１０の脚部裾相当部１０ｂをズボン５に通す時に、脚部裾相当部１０ｂがねじれたままでセッティングされると、袋１０を膨らました時に十分に膨れないおそれがあるため、袋１０の脚部の前後を明確にすることによって、セッティングの間違いを少なくし、セッティングを容易なものにすることができる。
【００７３】
なお、印３２は、文字ではなく、記号や色分けでもよく、また、別部材を貼り付けたり、縫いつけたりしても同様であり、特に、ねじれが分かるように色分けした縦縞の模様を付けても良く、印の形態を限定するものではない。
【００７４】
（実施例１２）
次に本発明の第１２の実施例について説明する。図１７は本実施例の袋とズボンの関係を示す正面図である。実施例１、２、３、４、５、６、７、８、９、１０、１１と共通の部分は同一の番号を付して詳しい説明は省略する。
【００７５】
図１７において、袋１０は、膨張すると、その外容積が被着ズボン５の内容積よりも大きくなる構成とし、かつ、袋１０の股上の寸法Ｌ１は被着ズボン５の股上の寸法Ｌ２よりも短い形状にしたものである。
【００７６】
本発明では、袋１０の寸法をズボン５よりも大きくすることによって、袋１０の膨張でズボン５を内側から押し広げて、そのシワを伸ばす効果があるが、ズボン５の場合には、袋１０の股上が深いと、股の分かれ目付近が突っ張って、ズボン５の股にシワが発生する。従って、袋１０の股上は、被着するズボン５よりも浅く、つまり寸法Ｌ１をＬ２よりも短くすると、シワの伸び方も良好な状態でズボンなどの衣類を仕上げることができるものである。
【００７７】
（実施例１３）
次に本発明の第１３の実施例について説明する。図１８は本実施例の袋を示す外観斜視図である。図１９は本実施例の袋とズボンの関係を示す正面図である。実施例１、２、３、４、５、６、７、８、９、１０、１１、１２と共通の部分は同一の番号を付して詳しい説明は省略する。
【００７８】
図において、袋１０は、膨張すると、その外容積が対象ズボン５の内容積よりも大きくなる構成とし、かつ、袋１０の腰部の留め具３３は、袋１０を膨張させた時に、袋１０の股の分かれ目が被着ズボン５の股の分かれ目との間に隙間Ｌ３ができるように、ズボン５の腰部の位置を袋１０のそれよりも下の位置にずらすようにズボン５を略固定するものである。
【００７９】
以上のように本実施例では、袋１０の寸法をズボン５よりも大きくすることによって、袋１０の膨張でズボン５を内側から押し広げて、そのシワを伸ばす効果があるが、ズボン５の場合には、袋１０の股上が深いと、股の分かれ目付近が突っ張って、ズボン５の股にシワが発生する。従って、袋１０の股の分かれ目が被着ズボン５の股の分かれ目との間に隙間Ｌ３ができる位置にズボンを略固定すると、シワの伸び方も良好な状態でズボンなどの衣類を仕上げることができるものである。
【００８０】
（実施例１４）
次に本発明の第１４の実施例について前記図１９を用いて説明する。
【００８１】
本実施例では、袋１０は、膨張すると、その外容積が被着ズボン５の内容積よりも大きくなる構成とし、かつ、袋１０の腰部の留め具３３は、袋１０を膨張させた時に、袋１０の股の分かれ目が被着ズボンの股の分かれ目と接触する、つまり、Ｌ３がゼロとするが、袋１０の膨張による圧力が被着ズボン５の股の分かれ目には加わらないようにズボン５を略固定するものである。袋１０を膨張させた時に、袋１０の膨張による圧力が被着ズボン５の股の分かれ目には加わらないので、ズボン５の股のシワは発生せず、全体のシワの伸び方も良好な状態でズボン５を仕上げることができるものである。
【００８２】
【発明の効果】
以上のように本発明の衣類仕上げ装置によれば、セッティングがしやすくシワの伸び方も良好な状態で衣類を仕上げることができる。
【図面の簡単な説明】
【図１】  本発明の第１の実施例である衣類仕上げ装置の構成を示す外観斜視図
【図２】  同、内部構成を示す断面図
【図３】  同、ズボンを被着した使用状態を示す側面図
【図４】  本発明の第２の実施例である衣類仕上げ装置の構成を示す外観斜視図
【図５】  本発明の第３の実施例である衣類仕上げ装置のズボンを被着した使用状態を示す側面図
【図６】  本発明の第４の実施例である衣類仕上げ装置のズボンを被着した使用状態を示す正面図
【図７】  本発明の第５の実施例である衣類仕上げ装置の構成を示す外観斜視図
【図８】  同、ズボンを被着した使用状態を示す側面図
【図９】  本発明の第６の実施例でズボンを被着した使用状態を示す側面図
【図１０】  本発明の第７の実施例である衣類仕上げ装置の構成を示す外観斜視図
【図１１】  同、摺動部材の平面図
【図１２】  同、摺動部材の別の実施例を示す平面図
【図１３】  本発明の第８の実施例である衣類仕上げ装置の袋構成を示す外観斜視図
【図１４】  本発明の第９の実施例である衣類仕上げ装置の袋構成を示す外観斜視図
【図１５】  本発明の第１０の実施例である衣類仕上げ装置の袋構成を示す外観斜視図
【図１６】  本発明の第１１の実施例である衣類仕上げ装置の袋構成を示す外観斜視図
【図１７】  本発明の第１２の実施例である衣類仕上げ装置の被着したズボンと袋の位置関係を示す正面図
【図１８】  本発明の第１３の実施例である衣類仕上げ装置の袋構成を示す外観斜視図
【図１９】  同、被着したズボンと袋の位置関係を示す正面図
【図２０】  従来例１である衣類乾燥機の全体構成を示す外観図
【図２１】  同、ズボンを被着した使用状態を示す外観図
【図２２】  従来例２である衣類乾燥機の構成とズボンを被着した使用状態を示す外観図
【符号の説明】
５  ズボン
１０、１６  袋
１０ａ、１６ａ  袋の腰部相当部
１０ｂ、１６ｂ  袋の脚部裾相当部
１０ｃ  袋の股部
１１  送風手段
１２  支持部
１３、１８、２０、２１、２２、２４、３３  留め具
２５  摺動部材
２６  取り付け部材
２７  錘
２８  接続部材
２９  ダクト
２９ａ、２９ｂ  異径の筒
３０、３０ａ、３０ｂ  フック
３１、３２  印
【図１】
0003931629.tif 000002
【図２】
0003931629.tif 000003
【図３】
0003931629.tif 000004
【図４】
0003931629.tif 000005
【図５】
0003931629.tif 000006
【図６】
0003931629.tif 000007
【図７】
0003931629.tif 000008
【図８】
0003931629.tif 000009
【図９】
0003931629.tif 000010
【図１０】
0003931629.tif 000011
【図１１】
0003931629.tif 000012
【図１２】
0003931629.tif 000013
【図１３】
0003931629.tif 000014
【図１４】
0003931629.tif 000015
【図１５】
0003931629.tif 000016
【図１６】
0003931629.tif 000017
【図１７】
0003931629.tif 000018
【図１８】
0003931629.tif 000019
【図１９】
0003931629.tif 000020
【図２０】
0003931629.tif 000021
【図２１】
0003931629.tif 000022
【図２２】
0003931629.tif 000023